(57)【特許請求の範囲】
【請求項１】
圧縮可能なコンテナ（２）から飲料を供給アセンブリ（１）によって供給する方法であって、
前記圧縮可能なコンテナ（２）の出口（９）をシールするベースユニット（３）が設けられた前記圧縮可能なコンテナ（２）を、このコンテナの前記出口（９）が下方に面するようにして、供給アセンブリ（１）の平坦なベース部（５）上に、これらベースユニットとベース部とに設けられたシーリング手段によりベースユニットをベース部にハーメチックシールするようにして、装着する工程と、
前記圧縮可能なコンテナ（２）のシールされた出口（９）内に、この出口と整列されるように配置された中空の穿孔器（１１）と、前記供給アセンブリ（１）の外部に配置されていて閉じた供給タップ（４）とを供給管（１０）により接続する工程と、
前記圧縮可能なコンテナ（２）とベースユニット（３）とを覆って、前記圧縮可能なコンテナ（２）とベースユニット（３）とベース部とカバーとの間に圧力チャンバ（８）を形成するように、ハーメチックシール状態で前記ベース部（５）上にカバー（６）を装着すると共に、前記圧縮可能なコンテナ中の飲料を供給管（１０）中に連通するために、前記シールされた出口とベース部（５）との間に配置された中空の穿孔器（１１）によって、圧縮可能なコンテナ（２）のシールされた前記出口（９）を穿孔する工程と、
前記圧力チャンバ（８）中の圧力を上昇させて、前記圧縮可能なコンテナ（２）を加圧し、前記圧縮可能なコンテナ（２）内の飲料を、前記出口（９）、中空の穿孔器（１１）、並びに供給管（１０）を介して前記供給タップ（４）に供給する工程とを具備し、
前記ベースユニット（３）が設けられた前記コンテナ（２）は、下方への力がコンテナに加えられることによってコンテナが下方向へ動いて、穿孔器（１１）によりシールされた出口（９）を穿孔させるまで、弾性手段（１８，４０）によって前記ベース部（５）から離れた状態に一時的に保持されている方法。
【請求項２】
前記下方への力は、手で加えられる、請求項１の方法。
【請求項３】
前記下方への力は、前記圧力チャンバ（８）中の圧力を上昇させることにより加えられる、請求項１の方法。
【請求項４】
前記供給管（１０）は、穿孔器（１１）がシールされた出口（９）を穿孔する前に、前記ベース部（５）の開口（２６）を通じて、前記供給タップ（４）に接続される、請求項１ないし３のいずれか１の方法。
【請求項５】
前記シールされた出口を無菌シールするシールが、前記ベースユニット（３）が設けられたコンテナ（２）が前記ベース部（５）上に装着される前に、剥がされる、請求項１ないし４のいずれか１の方法。
【請求項６】
上端が閉じたほぼ円筒形の圧縮可能な壁部、およびこの壁部の下端から下方に延び出口端部を形成している首部を有する圧縮可能なコンテナ（２）と、
ほぼ平坦なベース部（５）、前記コンテナ（２）を覆うように、このベース部とシール状態で相互接続可能なカバー（６）、および前記コンテナ（２）とカバーとの間の圧力チャンバを圧力媒体源に接続する手段を有する加圧ユニットと、
前記コンテナ（２）を下から支持しているハウジング、このハウジング内に設けられ前記圧縮可能なコンテナ（２）を下端側でシールした、穿孔可能なクロージャ（２２）を有するベースユニット（３）とを具備し、
このベースユニット（３）は、ベースユニット（３）を圧縮可能なコンテナ（２）の前記首部に分離不可能にかつこれをハーメチックシール状態で接続するロック手段、および圧縮可能なコンテナ（２）をベース部（５）にハーメチックシールするためのシーリング手段を更に有し、また、
前記穿孔可能なクロージャ（２２）を穿孔するようになっている中空の穿孔器（１１）と、
この中空の穿孔器（１１）に接続される閉鎖可能な供給管（１０）と、
下方への力が前記コンテナに加えられることによってコンテナが下方向へ動いて、穿孔器（１１）により、前記クロージャ（２２）を穿孔させるまで、前記ベースユニット（３）が設けられた前記コンテナ（２）を、前記ベース部（５）から離れた状態に一時的に保持する弾性手段（１８，４０）と
を更に具備している飲料供給アセンブリ（１）であって、
前記ベースユニット（３）と前記首部とは、前記コンテナ（２）の下端部に設けられ、前記ベースユニット（３）のハウジングは、前記首部を超えて軸方向および圧縮可能なコンテナ（２）の壁部の実質的な延長方向である下方へと延びている外壁（１６）を有し、前記ベース部（５）は、この外壁の延長部を支持する面を有していることを特徴とする飲料供給アセンブリ（１）。
【請求項７】
前記ベースユニット（３）は、コンテナの前記首部の外周を囲んでいる環状のつば（２３）を有し、また、前記ベース部は、前記ベースユニット（３）が挿入される凹所を有し、
前記シーリング手段は、前記つば（２３）の外周面と前記凹所の内周面との間に設けられていることを特徴とする、請求項６の飲料供給アセンブリ。
【請求項８】
前記シーリング手段は、ベースユニット（３）の外壁（１６）とベース部（５）との間に設けられていることを特徴とする請求項６もしくは７の飲料供給アセンブリ。
【請求項９】
前記弾性手段（１８）は、これから軸方向下方に延び、前記ベースユニット（３）内に設けられていることを特徴とする請求項６ないし８のいずれか１の飲料供給アセンブリ。
【請求項１０】
前記圧縮可能なコンテナ（２）のシールされた出口（９）と整列された前記中空の穿孔器（１１）が、前記ベースユニット（３）内に設けられていることを特徴とする請求項６ないし９のいずれか１の飲料供給アセンブリ。
【請求項１１】
前記中空の穿孔器（１１）は、前記ベース部（５）に当接する手段を有しており、ベース部（５）は、これに対応する当接手段（２１）を有していることを特徴とする請求項１０の飲料供給アセンブリ。
【請求項１２】
他の弾性手段（２５）が、前記中空の穿孔器（１１）とベースユニット（３）との間に設けられ、この他の弾性手段はまた、コンテナがベース部（５）から取り出されなくてはならない時にこのコンテナを閉鎖する手段を提供することを特徴とする請求項１１の飲料供給アセンブリ。
【請求項１３】
圧縮可能なコンテナ（２）の前記シールされた出口（９）と整列された前記中空の穿孔器（１１）は、前記ベース部（５）上に設けられていることを特徴とする請求項６ないし９のいずれか１の飲料供給アセンブリ。
【請求項１４】
前記ベースユニット（３）のハウジングは、前記中空の穿孔器（１１）が収容された弾性のカップ形部（４０）を有し、このカップ形部（４０）は、カップ形状部の開口を規定した上縁（４１）を備えた筒状の側壁（４３）と、底部（４２）を有し、
前記上縁には、前記クロージャ（２２）が前記開口をシールするように取着されており、
前記底部（４２）は、前記カップ形部（４０）が挿入される前記ベース部（５）の凹所中に設けられた中央高部（２１）と協働して、穿孔器（１１）を移動させて前記クロージャ（２２）を穿孔させることを特徴とする請求項６ないし１３のいずれか１の飲料供給アセンブリ。
【請求項１５】
前記穿孔器（１１）は、前記ベースユニット（３）を通る中心軸に対して非相称に配置されていることを特徴とする請求項６ないし１４のいずれか１の飲料供給アセンブリ。
【請求項１６】
前記ベースユニット（３）は、前記供給管（１０）を収容するための環状スペースを有していることを特徴とする請求項６ないし１５のいずれか１の飲料供給アセンブリ。
【請求項１７】
前記供給管（１０）の自由端部には、供給弁（３０）が設けられていることを特徴とする請求項６ないし１６のいずれか１の飲料供給アセンブリ。
【請求項１８】
請求項６ないし１７のいずれか１の飲料供給アセンブリに適合されるものであって、圧縮可能なコンテナ（２）およびベースユニット（３）を具備しているコンテナユニットにおいて、前記ベースユニット（３）は、圧縮可能なコンテナ（２）の出口（９）が形成されていて下方に面している首部をシールし、このベースユニットはまた、前記首部を超えて軸方向および圧縮可能なコンテナ（２）の壁部の実質的な延長方向である下方へと実質的に延びている外壁（１６）を有し、また、出口（９）を覆う着脱可能な無菌シールが設けられていることを特徴とするコンテナユニット。
【請求項１９】
前記着脱可能な無菌シールが、前記ベースユニットの底部で前記外壁（１６）に接続されていることを特徴とする請求項１８のコンテナユニット。
【発明の詳細な説明】
【発明の詳細な説明】
【０００１】
本発明は、圧縮可能な飲料コンテナから飲料を供給する方法と、飲料供給アセンブリと、この飲料供給アセンブリなどで使用されるコンテナユニットとに関する。
【０００２】
従来は、ドラフト・ビールのような大量の炭酸飲料は、典型的には大量の、例えば２５リッターの飲料を保持する金属製の樽で消費場所まで運ばれていた。このような樽は、コンテナからの飲料を冷却および供給するための、ドラフト・ビールクーラー、二酸化炭素カートリッジなどを有する高価で複雑な供給アセンブリ向きである。このような樽および供給アセンブリは、当分野で公知である。
【０００３】
金属製の樽は重く、かくして操作が難しく、余分な運搬コストがかかる。更に、金属製の樽は、製造コストが高く、完全にまたは部分的に容器が空けられた後では再充填するために回収する必要がある。樽は、廃棄される前に何度か再使用される。従って、樽は、その寿命の間に長距離を移動することになり、また、重くなるにつれて運搬コストが高くなる。更に、ドラフト・ビールの消費は、季節の変化に大きく影響される。特に夏季には消費が盛んになり、寒い季節には不人気になる。かくして、需要に応えるために多数の樽が出回るに違いなく、そのため、消費が盛んでない季節には多くの空樽が保管されることとなる。
【０００４】
公知のドラフト・ビールアセンブリの他の欠点は、飲料と接触する多くの部分が再使用されるため、これらの部品を衛生的に清潔に保って細菌の増殖を防ぐために定期的なクリーニングが必要となることである。クリーニングは時間がかかり、また、全部品について完璧に行なうのは難しいことがある。飲料に触れる部分が完璧に洗浄されない場合は、飲料の品質に影響する。
【０００５】
こうした欠点の幾つかを解消するために、軽くてより可撓性を有する材料で形成された供給アセンブリ用の飲料コンテナが導入されてきた。機械的に、空気圧で、あるいは水圧で中身を搾り出すことによって空にされるプラスチックバッグがテストされてきたが、多くの実際的な用途のためには脆弱すぎた。
【０００６】
プラスチック材料、例えばＰＥＴでできた圧縮可能な飲料ボトルからの供給もまた、当分野では公知である。これらのボトルは、機械圧、空圧、あるいは水圧を加えて中身が搾り出されるようにボトルの壁部分を圧縮することによって空にされる。このような飲料ボトルは、数リッター程度の少量の飲料のみを収容するもので、相当量の飲料を収容する金属製樽と直接に比較はできない。しかしながら、圧縮可能なボトルは、あらゆる点で金属製樽を越える多くの利点を有している。
【０００７】
プラスチック材料は、すりつぶすことができ、結果的に生じた粒が新しいプラスチック材料の製造に用いられる。この粒は、スペースを取らないので、広い保管場所を必要としない。こうしたボトルはより軽いので、操作が簡単で、運搬コストも安くて済む。プラスチックボトルは、中身を目で見ることが出来るように透明に製造可能であり、または、所定の望みの色に染めることもできる。ボトルは空になると圧縮されるので、再利用するために運搬する間スペースを取らない。
【０００８】
圧縮可能な飲料ボトルを備える供給アセンブリは、例えば、ＥＰ−Ａ１−１００３６８６号によって公知である。この装置は、蓋を備えたハウジングとシーリング手段と圧力源と冷却装置と供給タップとを有する統合的な供給装置を構成している。
【０００９】
アセンブリのハウジングは、ボトルの形の圧縮可能な飲料コンテナを収容するようになっている。このボトルには、この首部および肩部につばが設けられ、ボトルの肩部で径方向にボトルの円筒形壁部を越えて延びたフランジを与えている。このフランジには、ボックス形のハウジング部の上部に配置されたロゼットのシーリング手段と協働する手段が設けられている。このロゼットは、ハウジングの上開口の外周の周りに円を成す一連の部分を有している。各部分には、ばねが設けられているので、タップが径方向に動かされ得る。ボトルが設置されているときは、ボトル上のフランジがロゼットの前記部分の上面で静止し、出口開口の操作は、この位相で行なわれる。そして、コンテナが押し下げられて、ロゼットの部分を広げ、ハウジングの底部まで下げる。ビンのフランジの径方向延長部は、ロゼットの下面でハウジングの内壁とのシールを形成し、これによって、ボトルの円筒形壁部であるハウジングの内壁とボトルの肩部上のフランジとの間に圧力チャンバを形成するようになっている。蓋が閉じられると、圧力媒体がハウジング中に導入される。圧力チャンバ中の圧力が上昇すると、ボトルのフランジの上部がロゼットの下面に当接するまで、周囲の低圧方向に上方へとボトルが付勢される。ここで、飲料が圧力下に置かれ、導管を通じて装置内に結合された供給タップへと内容物を導くことによってボトルの容積を減じることにより、飲料が強制的に外に出される。
【００１０】
しかしながら、この解決法には、残念な欠点が多数ある。
【００１１】
この供給装置は、複雑なデザインを有し、非常に多数の部品を有しており、これら部品自体が、複雑でコストが高いものである。例えば、ロゼットは、各々に径方向に移動可能な複数の部分のための多数の協働部品およびばねと、ボトルが置き換えられる必要がある時に前記部分を広げるための特別な解放機構とを有している。
【００１２】
いったんボトルが穿孔されると、完全に空にはなっていないボトルがハウジングから取り出される時に、ボトルの中身がこぼれないように出口を閉じるか密封することができない。ボトルが新しいビンと取り替えられる時、あるいは、装置の部品の故障あるいはメインテナンスの際に、そのような状況が生じる可能性がある。また、例えば遠く離れた場所にあるバーやレストランのような消費量が少ない所では、その限られた耐久性により、幾分多い量の飲料を捨てることが必要になるかもしれない。
【００１３】
また、例えばバーやレストランのような非常に忙しい環境では、信頼できる供給装置の必要性が極めて高い。ボトルが取り替えられる必要がある時に、供給アセンブリを操作するスタッフがその事態を予想できることが重要である。また、装置に問題がある時は、問題点を迅速に突き止めることができなくてはならない。公知のアセンブリのボトルは、冷却装置および加圧装置も収容するようになっている絶縁のボックス形ハウジング内に配置される。このようなハウジングでは、アセンブリの部分やボトルの中身を視覚的に検査できない。公知のアセンブリのボトルは、冷却および加圧装置も収容するようにされた隔離されたボックス形のハウジング内に配置される。このようなハウジングでは、アセンブリの部品あるいはボトルの中身を視覚的に検査することができない。
【００１４】
例えば政府規制、環境問題、および材料費などにより、空になった後のボトルを再利用することが望ましい。ボトルの再利用は、プラスチック材料のボトルを回収および粉砕することによって行なわれることが多い。しかし、コンテナが残った内容物を収容しているときは、このプロセスは複雑になるだろう。このような残った内容物は、取り出されるか押し出されるかしなくてはならず、または、ボトルが、永久的に廃棄されなくてはならない。圧縮可能なプラスチックボトルは圧縮されるので、残った何らかの内容物を一掃することは難しく、不可能である。かくして、圧縮されたボトルに残る内容物は、最小にされるべきである。明らかに、残った内容物はまた、広がり、かくして、装置の使用者の損失を表している。公知の供給装置でボトルが完全に圧縮されるときは、大量の飲料が、圧縮可能なボトルの折り目によって隔絶されたポケット中に溜まるだろう。
【００１５】
公知の供給アセンブリの圧縮可能な飲料ボトルの底部は、操作中に供給アセンブリのハウジング内にあるボトル用の立ち面となるようにされなくてはならない。従って、底部は、ボトルの底部の最適な圧縮を妨げ、圧縮されたボトル内に隔絶ポケットが形成され、その結果余分な飲料がたまってしまうような方法で成形および／または強化されなくてはならない。
【００１６】
公知の装置では、飲料が供給タップを通じて供給されるためには、飲料が飲料ボトルの底部からボトルの上部の出口へと持ち上げられる必要がある。これには、相当の圧力が必要になる。必要な圧力が大きくなるにつれて、圧力源に対する要求が高くなり、圧力源のコストが高価になる。
【００１７】
本発明の目的は、飲料を供給する方法と、供給アセンブリと、このような供給アセンブリ内で使用され、容量と適用性ともに大容量の金属製樽と比較できるレベルのものであり圧縮可能なボトルを使用する従来技術の飲料供給装置の欠点を克服するようなコンテナとを提供することである。
【００１８】
本発明は、圧縮可能なコンテナから飲料を供給アセンブリによって供給する方法であって、
前記圧縮可能なコンテナの出口をシールするベースユニットが設けられた前記圧縮可能なコンテナを、このコンテナの前記出口が下方に面するようにして、供給アセンブリの平坦なベース部上に、これらベースユニットとベース部とに設けられたシーリング手段によりベースユニットをベース部にハーメチックシールするようにして、装着する工程と、
前記圧縮可能なコンテナのシールされた出口内に、この出口と整列されるように配置された中空の穿孔器と、前記供給アセンブリの外部に配置されていて閉じた供給タップとを供給管により接続する工程と、
前記圧縮可能なコンテナとベースユニットとを覆って、前記圧縮可能なコンテナとベースユニットとベース部とカバーとの間に圧力チャンバを形成するように、ハーメチックシール状態で前記ベース部上にカバーを装着すると共に、前記圧縮可能なコンテナ中の飲料を供給管中に連通するために、前記シールされた出口とベース部との間に配置された中空の穿孔器によって、圧縮可能なコンテナのシールされた前記出口を穿孔する工程と、
前記圧力チャンバ中の圧力を上昇させて、前記圧縮可能なコンテナを加圧し、前記圧縮可能なコンテナ内の飲料を、前記出口、中空の穿孔器、並びに供給管を介して前記供給タップに供給する工程とを具備し、
前記ベースユニットが設けられた前記コンテナは、下方への力がコンテナに加えられることによってコンテナが下方向へ動いて、穿孔器によりシールされた出口を穿孔させるまで、弾性手段によって前記ベース部から離れた状態に一時的に保持されている、方法である。
【００１９】
このような方法で圧縮可能なコンテナから飲料を供給する方法を提供することによって、従来技術に係わる幾つかの問題が克服される。特に、コンテナの出口が下方に面している状態で圧力チャンバ内に圧縮可能なコンテナを配置させることにより、多くの利点が得られる。
【００２０】
圧縮可能なコンテナの逆さまの構成が、圧力チャンバ中でコンテナを空にするのを助ける。コンテナが圧縮された時には、溜まった飲料のポケットが生じない。僅かな小滴がコンテナ中に滞留するのみであり、かくして、完全に空にされたものと考えることができる。
【００２１】
コンテナユニットを実質的に平坦なベース部上に装着することで、コンテナが従来技術のアセンブリの際にそうであったように供給アセンブリの壁の上で操作される必要がないことから、設置プロセスが相当に単純になる。
【００２２】
コンテナの逆さまの構成により、更に、圧縮可能なコンテナを空にするのに必要となる圧力が減じられ、供給アセンブリの部品の材料としてより軽い材料を選択できる。更に、供給アセンブリは、単純、安価、かつ低能力の空気ポンプを利用して、あるいは、通常の家庭用か庭用のタップからの水によってさえも、加圧可能である。
【００２３】
コンテナに下方に面する出口端部を設けることの一般的な問題の１つは、内容物がこぼれる危険を冒さずにはコンテナの開閉が難しい点である。本発明の方法では、供給アセンブリが供給管に接続された中空穿孔器を有するため、これらの困難は克服される。かくして、コンテナが出口が下方を向くようにされている時でさえも、中空穿孔器によりコンテナのシールされた出口が穿孔されていない限り、供給管が供給タップに接続可能である。
【００２４】
本発明の好ましい１つの態様では、  ベースユニットが設けられたコンテナは、圧力チャンバ中の圧力を上昇させることにより加えられる下方への力がコンテナに加えられることによってコンテナが下方向へ動いて、穿孔器によりシールされた出口を穿孔させるまで、弾性手段によってベース部から離れた状態に一時的に保持されている。このため、コンテナの出口が穿孔される前に、コンテナ上にカバーを装着させる時間ができる。また、コンテナユニットがベース部上に装着されている時には、ベースユニットを備えたコンテナがベース部に装着される前にこれが行なわれていない場合には、閉じられた供給タップで供給管を配置させる時間と出口へのアクセスとが得られる。結果的に、コンテナは、コンテナを下方へ付勢して前記弾性手段の弾力性を克服することにより、コンテナの出口のシールを穿孔する穿孔器によって開かれ得る。
【００２５】
本発明の好ましい１つの態様では、前記供給管は、穿孔器がシールされた出口を穿孔する前に、前記ベース部の開口を通じて、前記供給タップに接続される。かくして、供給管が加圧されず、この操作が容易にされることが果される。
【００２６】
好ましくは、ベースユニットには、シールされた出口を無菌シールするシールが設けられている。このシールは、ベースユニットが設けられたコンテナがベース部に装着される前に剥がされる。ベースユニットにシールを与えることにより、コンテナが供給アセンブリ内に設置される直前まで、ベースユニット内の全部品が無菌の清潔な状態に確実に保持される。
【００２７】
本発明は、更に、圧縮可能な飲料コンテナから飲料を供給する方法を行なうのに適した飲料供給アッセンブリに関し、このアッセンブリは、
上端が閉じたほぼ円筒形の圧縮可能な壁部、およびこの壁部の下端から下方に延び出口端部を形成している首部を有する圧縮可能なコンテナと、
ほぼ平坦なベース部、前記コンテナを覆うように、このベース部とシール状態で相互接続可能なカバー、および前記コンテナとカバーとの間の圧力チャンバを圧力媒体源に接続する手段を有する加圧ユニットと、
前記コンテナを下から支持しているハウジング、このハウジング内に設けられ前記圧縮可能なコンテナを下端側でシールした、穿孔可能なクロージャを有するベースユニットとを具備し、
このベースユニットは、ベースユニットを圧縮可能なコンテナの前記首部に分離不可能にかつこれをハーメチックシール状態で接続するロック手段、および圧縮可能なコンテナをベース部にハーメチックシールするためのシーリング手段を更に有し、また、
前記穿孔可能なクロージャを穿孔するようになっている中空の穿孔器と、
この中空の穿孔器に接続される閉鎖可能な供給管と、
下方への力が前記コンテナに加えられることによってコンテナが下方向へ動いて、穿孔器により、前記クロージャを穿孔させるまで、前記ベースユニットが設けられた前記コンテナを、前記ベース部から離れた状態に一時的に保持する弾性手段と
を更に具備している飲料供給アセンブリであって、
前記ベースユニットと前記首部とは、前記コンテナの下端部に設けられ、前記ベースユニットのハウジングは、前記首部を超えて軸方向および圧縮可能なコンテナの壁部の実質的な延長方向である下方へと延びている外壁を有し、前記ベース部は、この外壁の延長部を支持する面を有していることを特徴とする飲料供給アセンブリに関する。
【００２８】
ベース部と協働するようになっているベースユニットの後者の構造により、コンテナとベースユニットから成るコンテナユニットが、コンテナの出口が下方に面している状態で直立できる。このベースユニットの外壁がコンテナの首部を超えて延びていることにより、コンテナユニットが、コンテナの出口を損傷する危険を伴わずにベース部および他のどんな面上でも起立できる。更に、これにより、出口端部に対向するほぼ円筒形の圧縮可能なコンテナの上端部が、最適に圧縮されるように成形された状態で保持される。
【００２９】
実質的に平坦なベース部により、コンテナが従来技術のアセンブリの場合とは異なって供給アセンブリの壁の上で操作される必要がないため、コンテナの設置が大幅に単純にされる。かくして、この構造により、大きな飲料コンテナであっても用意に配置できる。
【００３０】
本発明の飲料供給アセンブリでは、圧縮可能なコンテナの上方で実質的に平坦なベース部からカバーが垂直方向に延びている。これは、圧力チャンバが蓋を備えたボックス形のハウジング内に設けられる従来技術のアセンブリとは対照的である。本発明のカバーは、安価で扱いが簡単なプラスチックのような軽い材料で製造可能である。更に、コンテナが透明である場合は、カバーもまた、コンテナの中身が視覚的に検査され得るように透明に形成されてよい。
【００３１】
べースユニットに、ベースユニットを備えたコンテナをベース部にシール状態で接続する手段が設けられているため、コンテナユニットをベース部上に配置し、コンテナユニット上にカバーを装着させ、そしてこれをベース部にシールすることによって、圧力チャンバが簡単に形成され得る。また、コンテナユニットは、プロセスを逆にするだけで簡単に取り外され得る。
【００３２】
好ましい１つの実施形態では、圧縮可能なコンテナをベース部に対してハーメチックシールするためのシーリング手段は、ベースユニットのつばとベース部との間に設けられ、このつばは、コンテナの前記首部から下方へと、この首部の実質的な軸方向への延長方向に延びている。かくして、コンテナユニットをベース部上に配置し、カバーを閉じることによって簡単に圧力チャンバが形成され得る。他の実施形態では、あるいは付加的に、圧縮可能なコンテナをベース部に対してハーメチックシールするためのシーリング手段は、ベースユニットの外壁とベース部との間に設けられている。
【００３３】
本発明に係る飲料供給アセンブリには、コンテナおよびベースユニットをベース部から一時的に離間させるための支持用の弾性手段が設けられている。このため、コンテナユニットに対して下方への圧力が加えられるまで、穿孔器によってコンテナが開口されない。このようにして、コンテナの意図しない開口が防がれる。また、例えば供給管を配置させるためなどに必要な場合にはコンテナの出口端部を操作するための時間が与えられる。前記支持用の弾性手段が、これから軸方向下方に延びたベースユニット内に設けられているが、この弾性手段は、ベース部に設けられてもよい。
【００３４】
好ましい１つの実施形態では、ベースユニットとベース部との間に配置されて、圧縮可能なコンテナのシールされた出口と整列された中空の穿孔器が、ベースユニット内に設けられている。このようにして、穿孔器が、例えばコンテナユニットをべース部上に装着する間に生じ得る事故の衝撃から保護され得る。穿孔器をベースユニット内に配置させることは、また、使用前に洗浄する必要がある再使用可能な多数の部品を最少にするか可能であればなくすために新しい穿孔器が新しいコンテナユニットと共に運搬されることを意味する。
【００３５】
好ましくは、中空の穿孔器は、ベース部に当接する手段を有しており、ベース部は、これに対応する当接手段を有している。これにより、コンテナユニットがベース部の方へ下方に付勢された時には、ベース部と当接すると穿孔器がベースユニットに対して移動するように強いられるため、穿孔器が自動的にシールされた出口を穿孔することによってコンテナを開口することができる。従って、コンテナユニットを供給アセンブリ内に配置させる前にコンテナの開口を手動で操作する必要がなくなる。
【００３６】
好ましい実施形態では、弾性手段は、中空の穿孔器とベースユニットとの間に設けられ、この弾性手段はまた、コンテナがベース部から取り出されなくてはならない時にこのコンテナを閉鎖する手段を提供する。このため、穿孔器は弁として働くことができ、コンテナユニットがベース部から取り外される時に、コンテナを自動的に閉鎖する。かくして、コンテナユニットは、完全に空にされなくても、例えば供給アセンブリの修理や調整の際に、一時的あるいは永久的に取り外され得る。
【００３７】
好ましい１つの実施形態では、圧縮可能なコンテナのシールされた出口と整列された中空の穿孔器は、ベース部上に設けられている。
【００３８】
飲料供給アセンブリの他の実施形態では、ベースユニットが、側壁、ベース部の中央高部と協働するようになっている底部、および中空の穿孔器を有する弾性のカップ形部と、このカップ形部の上縁に形成されたクロージャとを備えている。
【００３９】
更なる実施形態では、穿孔器が、ベースユニットを通る中心軸に対して非相称に配置されている。
【００４０】
更なる他の実施形態では、ベースユニットが、供給管を収容するための環状スペースを有している。かくして、コンテナユニットを供給タップに接続するための新しい無菌供給管が、各コンテナユニットと共に運搬されることができ、これによって、再使用可能な部品が出来る限り少なくされ、かくして、汚染の危険が最小にされる。好ましくは、供給管の自由端部には、供給弁が設けられている。この供給弁は、供給タップに適合され得る。このようにして、供給アセンブリの再使用可能な部品が飲料と接触する必要が、なくされる。従って、飲料と接触する全部品は、使い捨てである。
【００４１】
本発明はまた、圧縮可能なコンテナと上述されたように供給アセンブリ用のベースユニットとを有するコンテナユニットに関する。ベースユニットは、圧縮可能なコンテナの出口が形成されていて下方に面している首部をシールし、このベースユニットはまた、首部を超えて軸方向および圧縮可能なコンテナの壁部の実質的な延長方向である下方へと実質的に延びている外壁を有し、また、出口を覆う着脱可能な無菌シールが設けられている。この無菌シールは、運搬中にコンテナユニットの出口を汚染から保護するもので、コンテナユニットをベース部上に装着する前に取り外されるよう意図されている。
【００４２】
好ましくは、取外し可能な無菌シールが、ベースユニットの底部で外壁に接続されている。このようにして、取外し可能な無菌シールが、コンテナユニットの底部に設けられて無菌ルームを与える上述した環状スペースを閉鎖する。無菌ルーム内では、供給アセンブリ用の無菌部品、例えば中空の穿孔器および供給管が、コンテナユニットの運搬中に保管され得る。このため、飲料を供給するために必要な完全に不正開封を防ぐ無菌セットが運搬可能にされる。このセットは、飲料と接触される必要のある全部品を有している。
【００４３】
本発明は、以下に、図面を参照しながら詳しく説明される。
【００４４】
圧縮可能なコンテナ２から飲料を供給する供給アセンブリ１が、図１に示されている。この供給アセンブリ１は、概略的に示された供給タップ４を通じて消費されるコンテナの中身を供給するためにこの供給アセンブリ１の加圧ユニット内に設けられていてベースユニット３を備えている圧縮可能な飲料コンテナ２を有している。加圧ユニットは、ベース部５と、カバー６と、ベース部５、カバー６、コンテナ２、およびベースユニット３の間のスペースから成る圧力チャンバ８に連通した加圧流体入口７とを有している。ベース部５の側壁、即ち周辺部１３を貫通して延びているこの加圧流体入口７は、圧力源（図示されず）、例えば、従来のドラフト・ビール供給アセンブリの二酸化炭素カートリッジ、小さな空気ポンプ、あるいは単に水道水と連通している。かくして、加圧流体は、液体と気体のいずれでもよい。
【００４５】
設置のために、カバー６が、ベース部５から分離され、ベースユニット３を有している圧縮可能な飲料コンテナ２が、コンテナ２の出口９が実質的に下方へ面するように、少なくとも、ベース部５に面するように、ベース部５に設けられている。出口９と整列された穿孔器１１に接続された供給管１０の自由端部は、供給タップ４に接続されている。コンテナ２がベース部５に設けられている時は、カバー６が、気体密接続でベース部５に接続されて圧縮可能なコンテナ２を封入し、また、加圧流体入口７を通じて圧力が加えられる。カバー６の下端部には、ベース部５の上方向へ延びた周辺部１３の周りにかみ合うようなフランジ１２が設けられており、カバー６とベース部５とが、環状のＵ字形ロッキングリング１４によって互いに固定されている。あるいは、例えば差し込み結合またはねじ部品のような他の適当な結合手段が、カバー６をベース部５に固定するために利用可能である。フランジ１２と協働する固定手段、例えばＯ−リング１５は、ベース部５の周辺部１３とフランジ１２との間に気体密相互接続を確実に与えるように、これら部品の間に設けられている。
【００４６】
図１は、使用可能な状態、即ち、コンテナ２の出口９が穿孔されていて飲料が供給管１０を通じて供給タップ４に連通している状態にある飲料供給アセンブリ１を示している。この状態では、圧力チャンバ８中の圧力が、望ましい高いレベルを有しており、供給タップが開かれると、コンテナ２がつぶれている間は（図示されず）、飲料が供給管１０を通じて強制的に押出される。コンテナが空である時、かくして完全につぶれた時は、ロッキングリング１４が解放され、カバー６がベース部５から取り外され得る。続いて、つぶれたコンテナ２が、新しいフルコンテナ２と取り替えられる。
【００４７】
設置のプロセスは、本発明の飲料供給アセンブリの第１の実施形態を示す図２ａ〜図２ｃを参照して後で更に詳しく説明される。
【００４８】
図２ａは、コンテナ２がベース部５上に設けられ、カバー６が上述されたようにロッキングリング１４によってベース部に取付けおよび固定されている状態を示している。圧力チャンバ８にはまだ圧力が加えられていない。この状態で、ベースユニット３の外壁１６は、例えば、ベース部５とベースユニット３との間に配置されたＯリング１７あるいは他の適当なシーリング手段によって、ベース部５の周辺部１３にシール状態で相互接続している。
【００４９】
ベースユニット３には、このベースユニット３内で下方に延びた３つ以上のタップ１８の形の弾性手段が設けられ得る。これらタップ１８は、ベース部５内の高くなった環状プラットフォーム１９に当接するものであって、相当の下方への力がコンテナ２に加えられない限りフルコンテナ２を支持するために十分に強い。しかしながら、圧力チャンバ８中の圧力が上昇すると、ベースユニット３を有するコンテナ２は、圧力チャンバ８中と外で異なる圧力が生じることにより、下方向への力を受ける。圧力差が所定のレベルに達すると、タップ１８は、下方向への力に抵抗できなくなるため撓むか折れて、コンテナ２とベースユニット３とが下方へ移動される。
【００５０】
コンテナ２とベースユニット３とが下方へ少し移動した中間位置が、図２ｂに示されている。外壁１６は、ベース部５の周辺部１３にシール状態で接触している。示された位置では、後でより詳しく説明されるがコンテナの出口９と整列されてベースユニットの支持壁２０に対して摺動可能である穿孔器１１が、ベース部５の中央高部２１に当接する。
【００５１】
図２ｃに示された最終的な位置では、穿孔器１１が、コンテナ２の出口９のクロージャ２２を穿孔済みである。従って、圧力チャンバ８に圧力が加えられた時に、コンテナのクロージャ２２の穿孔が自動的に導かれる。
【００５２】
この位置では、ベースユニット３と圧縮可能なコンテナ２との更なる下方への移動が、ベース部５の面２８に当接する、ベースユニット３のハウジングの外壁１６の下周辺部によって妨げられる。かくして、ベースユニット３を有する、圧縮可能なコンテナ２が、ベース部５上で支持される。
【００５３】
図２ｃは、外壁１６がベース部５の周辺部１３にシール状態で接触しなくなったところを示している。ここでは、圧力チャンバ８が、ベース部５とベースユニット３との間のシーリングによって、コンテナ２の首部から下方に実質的にこの軸方向の延長方向へ延びたベースユニット上のつば２３と高くなった環状プラットフォーム１９の内方に面する面とで、制限されている。例えばＯ−リング２４のようなシーリング手段が、ベース部５とベースユニット３との間のハーメチックシール係合を確実にするために配置されている。
【００５４】
図２ａから図２ｃに示された実施形態の穿孔器１１は、ベースユニット３との一体部分として形成されている。この穿孔器１１には、支持壁２０の外部で圧縮可能な飲料コンテナ２に向けて下当接部から延びたつば２５が設けられている。このつば２５には、１つ以上のスリット（図示されず）が設けられ、好ましくは、穿孔器１１の他の部品と同じ材料で形成されている。つば２５のスリットはつば２５に弾性を与えていて、穿孔器１１が図２ｃで示されているようにクロージャ２２の弱い部分を穿孔するようにコンテナ２に向けて付勢された時は、つば２５が外方へ撓むことが可能である。
【００５５】
弾性つば２５により、穿孔器１１が元の位置に戻され、かくして、コンテナ２がベース部５から持ち上げられる場合は、圧縮可能な飲料コンテナ２を閉じることができる。この実施形態では、穿孔器１１が自動閉鎖弁として働く。このことは、コンテナが完全に空になっていない状態で取り除かれなくてはならない時に有利である。この自己閉鎖機構のおかげで、コンテナ２は、こうした自己閉鎖機構が設けられていない場合の状況とは異なり、取り外し前に供給タップ４を通して完全に空にされなくてもよい。
【００５６】
ベース部５には、ベースユニットを有するコンテナ２がベース部５上に設けられる前に供給管１０（図１を参照）を操作できるようにする開口２６が設けられている。
【００５７】
図３は、本発明の飲料供給アセンブリの第２の実施形態の詳細を断面図で示している。容易に参照できるために、小さな違いがあったとしても図１〜図２ｃと同じ部品には同じ参照符号が使用されている。
【００５８】
図３に示された第２の実施形態は、ベースユニット３の外壁１６とベース部５の上方へ延びた周辺部１３との間のシーリングが省略されている点で、図１〜図２ｃに示された第１の実施形態とは異なる。ベースユニット３を有するコンテナ２をベース部５上に最初に支持するためのタップ１８はここでも設けられており、また、ベースユニット３とベース部５との間のシール係合がないおかげで、最初は圧力チャンバが形成され得ない。かくして、例えばＯ−リング２４を用いたベースユニット３とベース部５との間のシーリング接触により図３に示された位置が果されるまで、ベースユニット３を有するコンテナ２に対して手で下方に向けて力を加えることが必要である。
【００５９】
図４は、本発明の飲料供給アセンブリの第３の実施形態の詳細を断面で示している。ここでも、小さな違いがあったとしても図１〜図２ｃと同じ部品には同じ参照符号が使用されている。
【００６０】
この第３の実施形態では、ベースユニットの外壁１６とベース部５の上方向へ延びた周辺部１３との間にのみ、ベース部５とベースユニット３との間のシール係合が与えられている。従って、ベースユニット３とベース部５との構成が修正されている。
【００６１】
図５ａおよび図５ｂは、本発明の飲料供給アセンブリの第４の実施形態の詳細を断面で示している。ここでも、小さな違いがあったとしても図１〜図２ｃと同じ部品には同じ参照符号が使用されている。
【００６２】
この第４の実施形態は、弾性つばが設けられていない穿孔器１１の構造を除いて、図４に示された第３の実施形態に基本的に対応している。かくして、この第４の実施形態の穿孔器１１は、クロージャ２２が穿孔された後はコンテナ２の出口を閉鎖できない単純な使い捨ての穿孔器である。
【００６３】
図６ａおよび図６ｂは、本発明の飲料供給アセンブリの第５の実施形態の詳細を断面で示している。ここでも、小さな違いがあったとしても図１〜図２ｃと同じ部品には同じ参照符号が使用されている。
【００６４】
穿孔器１１には、ここでも、図２ａ〜図２ｃを参照して上述されたように働く弾性つば２５が設けられている。しかしながら、この第５の実施形態では、穿孔器１１と供給管１０との間の接続が変わっている。穿孔器１１の出口は、供給管１０がベース部５の当接部の底部に接続された状態で、ベース部５内に配置された接続片２７と整列されている。この実施形態では、供給管は最初は穿孔器１１に接続されておらず、また、ベース部５には、供給タップと連通した永久的な供給管が設けられている。あるいは、別個の互換性のある供給管が、接続片２７に接続されてもよい。かくして、ベースユニット３を有するコンテナ２がベース部５に対して付勢された時は、圧縮可能な飲料コンテナ２の内部と供給タップとの間には、自動的に連通が確立される。
【００６５】
第４および第５の実施形態における穿孔器１１の構造は、ベースユニット３とベース部５との間の所定のシーリング手段に適用される。かくして、外側シーリングのみが示されているとしても、ベースユニットの外壁１６および／又はコンテナの首部、即ち、つば２３には、シーリング手段が設けられ得る。あるいは、本発明の第５の実施形態では、つば２３から下方へ延びたフランジ４５と中央高部２１もしくはその部分との間にシーリング手段が設けられ得る。
【００６６】
図７ａおよび図７ｂは、本発明の供給アセンブリ用の供給弁３０を概略的に示している。この供給弁３０は、任意で、供給管１０の自由端部に設けられ得る。
【００６７】
この供給弁は、
供給管（図示されず）との摩擦接続用の入口端部を有する円筒形の管３１と、
この管３１の外周に設けられ、この管の軸方向延長部内で管の出口端部に接続され、大きな直径を有している第１のつば３２と、
前記円筒形の管３１に接続され、基本的にこの管の軸方向の延長方向に延びているカップ形の管状部３３と、
このカップ形の管状部３３および円筒形の管３１を、第１のつば３２とカップ形部３３との間に配置された管状スペースによって接続するタップ３４と、
前記第１のつば３２と摩擦および摺動可能に係合された第２のつば３５と、
前記供給弁３０の出口端部を閉鎖するための、前記第２のつば３５の内側当接部３６とを備えている。
【００６８】
前記ベースユニット３に供給管１０が配置されている場合、供給弁３０が、この供給管１０の自由端部に設けられ、一体的な無菌ユニットとしてベースユニット３内に最初に配置されることが可能である。
【００６９】
供給弁３０は、この供給弁３０のつば３２、３５と係合された適当な手段（示されず）によってこの供給弁３０を開閉するための供給タップ内に配置するためのものである。
【００７０】
供給弁３０の利点は、製造が容易かつ材料が低コストであり、従って、この供給弁が、飲料コンテナおよび供給管と共に運搬される使い捨て部品として使用できる点である。かくして、これの更なる利点は、供給弁が説明のように供給タップ内に配置されている時に、コンテナの中の飲料が再使用可能で洗浄が必要であり、飲料を汚染する可能性のある部品に接触せずにすむ点である。
【００７１】
上述されたような供給弁３０はまた、他の種類の飲料供給システム、例えば、本供給システムとは無関係に、ソフトドリンク用に特化した供給システムあるいは伝統的なドラフト・ビール装置と共に使用することもできる。
【００７２】
上述され、図面に示されているように、コンテナ２は、下方に即ち重心に向けて面している出口９によって直立位置に配置される。かくして、このコンテナ２は、完全に空にされ得る。重力がコンテナ２を空にするのを助けるので、コンテナ２を完全に空にするために供給アセンブリ１が必要とする圧力は、当分野で公知の他の供給アセンブリよりも少ない。
【００７３】
ベースユニット３は、外壁１６、ベースユニット３を圧縮可能な飲料コンテナ２に分かれないように接続する手段、コンテナ２をシールするためのクロージャ手段２２、およびコンテナ２の内容物へのアクセスを与えるようにこのクロージャ２２を穿孔するための穿孔器１１を有している。コンテナ２の出口９を供給タップ４と接続するために、供給管を好ましくは保持する環状スペースが、設けられている。好ましくは、ベースユニット３は更に、外壁１６の下端に固定されたシール（図示されず）を有している。更に、ベースユニット３は、コンテナに接続される前には、外壁１６の上端に固定されたシール（図示されず）を有している。これらのシールは、大きなステージでコンテナ２に接続可能な無菌ユニットを得るために、ベースユニット３の製造時に貼付けられる。無菌ユニットは、シールを剥がすと使用可能になる。
【００７４】
従って、ベースユニット３は、中心地で無菌ユニットとして簡単に製造でき、そして、更に遠い飲料サプライヤー、例えば、醸造者やワイナリーへ運搬できる。飲料コンテナ２は、充填場所へと別々に運搬できる。通常、このような飲料コンテナ２は、飲料を充填する直前までこれらのフルサイズまでは吹き込みできない。飲料コンテナ２は、製造場所でフルサイズまで吹き込みされる。コンテナ２は、ほぼ円筒形の壁を有するボディ部と、肩部と、入口および出口９を構成する首部とを有している。コンテナ２が形を作るように空気を吹き込んだ後、このコンテナ２は、上シールを剥がされ、所望の飲料を充填され、ベースユニット３を首部の上方へ押圧することによって閉じられる。ベースユニット底部のシールは、変わらぬ場所にある。
【００７５】
コンテナ２は、プラスチック、特にＰＥＮあるいはＰＥＴのようなポリマーで製造されると好ましい。かくして、コンテナ２は、供給アセンブリ１内に外圧が加えられた時につぶれるのに適した薄壁の自己支持構造として形成可能である。コンテナ２は、コンテナの中の飲料を保存するための酸素バリヤを有する多層構造として製造可能である。更に、コンテナ２は、飲料の品質が光に弱い場合に光に対するバリヤを形成するように薄い色を付けられるか着色されていてもよい。このような光バリヤは、酸素バリヤ内に配置可能である。他の適当なプロセスは、コンテナ２をコーティングすること、例えば、内面をプラズマコーティングすることおよび／又は外面をエポキシコーティングすることである。
【００７６】
ベースユニット３とコンテナ２との間の接続が、いったんベースユニット３がコンテナ２に固定されるとコンテナ２および／又はベースユニット３を損傷せずにベースユニットを取り外すことができないような性質を有していて、消費場所へ運搬される準備のできた飲料を収容する不正開封防止コンテナユニットを得られると、好ましい。このような分離不可能な接続が様々の方法で得られる。この接続が、ベースユニット３をコンテナ２の首部にプレス嵌めすることによって得られると好ましい。首部とベースユニット３とには、例えば図面に示されているようなタップ／バーブおよび凹部／つばの形の協働ロック手段、またはその他の種類のスナップ機構が設けられている。あるいは、ベースユニット３が、コンテナ２の首部に接着か溶接されてもよいし、ベースユニット３の解放を防ぐための手段がねじに設けられている場合には、ベースユニット３がコンテナ２の首部上にねじ込まれてもよい。
【００７７】
ベースユニット３とコンテナ２の首部とのプレス嵌め接続が、ベースユニット３とコンテナ２との間のハーメチック接続を得るために、環状か円形の膜の形の薄いシールを裏張りされていると好ましい。この膜は、伝統的なガラスビールボトルの金属キャップの内側を裏張りするために使用されるタイプのものであると好ましい。
【００７８】
ベースユニットが、
好ましくは円筒形の外壁１６と、
圧縮可能な飲料コンテナ２の肩部を支持する壁の形の手段と、
圧縮可能な飲料コンテナ２の首部を支持する壁の形の手段と、
ベースユニット３の分離不可能なプレス嵌め接続部を圧縮可能な飲料コンテナ２に固定させるための、コンテナ２の首部の環状隆起部と協働する３つ以上の環状隆起部の形の手段とを備えていると好ましい。環状隆起部は、対応する周方向に配置された凹部、タップ、あるいはバーブであってもよい。ベーススユニットはまた、
巻き上げ可能であり（図示されず）運搬中に無菌状態にある供給管１０を保持するスペースの形の手段と、
圧縮可能な飲料コンテナ２の出口９をシールするための壁の形のクロージャ２２と、
所定の力による穿孔を可能にするために壁の一部分を弱めるように壁に形成された凹部と、
ベースユニット３が穿孔器１１への次の損傷によってベース部５中に付勢されるのを一時的に阻止するためにベース部の隆起部に当接するためのつばあるいは鋲の形の手段と、
ベース部５との気体密接続を与える手段と、
穿孔器１１を保持するための好ましくは円筒形支持壁の形の手段と、
円筒形支持壁の軸に沿って、支持壁に対して摺動可能な関係に保持された穿孔器１１と、
穿孔器１１を保護し、ベースユニット３の中心領域内でシールに支持を与えるための、操作中のベースユニット３への故意でない衝撃から穿孔器１１を保護するためを穿孔器１１を囲む１つの壁あるいは一連の壁の形の保護手段とを備えていると好ましい。
【００７９】
全ての実施形態において、ベースユニット３の部品が、ＰＥＴあるいはＰＥのようなプラスチック材料で形成されていると好ましい。これによって、製造コストが低下され、更に、部品が粉砕可能にされ、例えば新しいベースユニット３などの新しいプラスチック製品のために再利用可能になる。シールは、ベースユニット３に接着できる。これらのシールの材料は、例えば、プラスチック、プラスチックコーティングされた紙、紙、アルミホイルであってよい。
【００８０】
飲料を供給する前に冷却することが望ましい場合は、様々な方法で行なうことが出来る。本発明によれば、ベースユニット３を有する圧力ユニットと圧縮可能な飲料コンテナ２とが、飲料が飲料コンテナから供給タップまでの途中の冷却ユニット内で冷却される公知のドラフト・ビールおよびソフトドリンク供給アセンブリと共に使用され得る。更に、圧力ユニット全体を冷蔵庫などの冷凍環境に置くという選択肢もある。もう１つの選択肢は、冷えた加圧流体を使用することである。
【００８１】
図８ａは、本発明に係わる飲料供給アセンブリと圧縮可能なコンテナから飲料を供給する方法のための他のベースユニット３の斜視図を示している。図８ｂ〜図８ｃと図８ｄとは、他のベースユニット３と対応する他のベース部５との断面を夫々に示している。小さな違いがあったとしても図１から図６ｂと同じ部品に対しては、全体に同じ参照符号が使用されている。この実施形態におけるベースユニット３とベース部５との一般的な特徴は、上述した実施形態と類似している。かくして、ベースユニット３は、外壁１６を備えたハウジングと、圧縮可能なコンテナ２の出口端部９に取付けるための手段と、ベース部５と協働するための手段とを有している。ベース部５は、ベースユニット３を受けて支持するための手段、並びに、圧縮可能なコンテナ２と、ベースユニット３と、ベース部５と、供給ユニットのカバー６との間に圧力チャンバ８を加圧するための加圧流体入口７を有している。
【００８２】
図８ａ〜図８ｃでは、ベースユニット３が、ベースユニット３の内部部品がより良く見えるように、圧縮可能なコンテナ２が取付けられていない状態で示されている。この実施形態では、ベースユニット３は、コンテナ２の出口部９とその延長部とを覆う可撓性カップ形部４０を有している。このカップ形部４０は、上述された実施形態と同様に、つば２３の内側に配置されると好ましい。カップ形部４０は、底部４２、側壁４３、および、カップ形部４０のこの底部４２内に形成された中空の細長い穿孔器１１を有している。この穿孔器１１の下方に延びた部分が、供給管１０の一端部に接続されていると好ましい。この管１０の他端部は、例えば上述されたように供給タップ４を取付けるための供給弁３０が設けられた自由端部であると好ましい。穿孔器１１の上方向へ延びた端部は、ベースユニット３のハウジング内に設けられたクロージャ２２を穿孔するようになっている。この実施形態では、クロージャ２２が、好ましくは環状のカップ形部４０の上縁４１をシール状態でこれに設けられた別個のシールであると好ましい。このシール／クロージャ２２は、ベースユニット３上に例えば溶接、接着、またはシール可能な気体密および流体密の金属あるいはポリマーフォイルによって形成されていると好ましい。カップ形部４０は、ベース部３の周辺部よりも材料の厚さが薄い側壁４３を好ましくは形成することによって、固有の弾力性、即ち弾性区域を有するように形成されている。
【００８３】
図８ｄでは、図８ａのベースユニット３に対応するベース部５が示されている。このベース部５は、これに設けられた中央高部２１に、上方に面した面の形の当接面を有している。この当接面は、カップ形部４０の底部４２と協働するようになっている。
【００８４】
カップ形部４０の底部４２を中央高部２１の当接面に対して押すことにより、壁４２がその固有の弾力性により屈して撓むので、底部４２がコンテナ２に向かう方向へとベースユニット３の他の部分から移動可能になり、穿孔器１１が、クロージャ２２に対してこれを貫通するように付勢され得る。かくして、クロージャ２２が穿孔され、コンテナ２の中身に流体的にアクセスできる。
【００８５】
この実施形態では、カップ形部４０の弾力性が、タップ１８と同じ方法で利用され得る。タップ１８および／又はカップ形部４０は、クロージャ２２の穿孔前に、圧縮可能な飲料コンテナ２を支持する。また、これらのタップ１８および／又はカップ形部４０の固有の弾力性により、圧力チャンバ８中の圧力が低下された時にコンテナ２が上方へ押されるため、ベースユニット３を有するコンテナ２を取り外すときに助けとなる。かくして、カップ形部４０をタップ１８と協働させる代わりに、このカップ形部４０の弾力性を利用することができる。
【００８６】
この実施形態のベース部５は、例えば隆起された環状プラットフォーム１９とつば２３との間のＯ−リング２４の形のシーリング手段を有している。
【００８７】
全ての実施形態において、フランジ４５が、使用／タッピング中に外壁１６が圧縮可能なコンテナ２をベース部５上のベースユニット３によって支持するのを助けるようになっている。
【００８８】
図２〜図５ｂで説明されている上述の実施形態と同様に、つば２３から下方へ延びていてカップ形部４０を保護するフランジ４５には、供給管（図示されず）が中を通って延びる１つ以上のポートが設けられ得る。このフランジ４５の目的は、如何なる場合でも、穿孔器１１を操作中の不慮のダメージから保護することである。
【００８９】
図８ｄには示されていないが、ベース部５は、上述した実施形態と同様に、供給管１０を供給タップ４まで延長させるための開口２６を有していてよい。
【００９０】
この実施形態の穿孔器１１は、図８ｃによって理解されるように、好ましくは、ベースユニット３およびベース部５を通る中心軸に対して非相称に配置されている。これによって、供給管１０を操作するために、上述されたフランジ４５によって規定されたスペース内に、より広い空間が得られる。また、穿孔器１１の非相称的な位置付けにより、中央高部２１とカップ形部４０の底部４２とが当接され得るような、ベース部５の中央高部２１上の空間が得られる。
【００９１】
あるいは、隆起部２１が、中心に対して非相称に位置され、穿孔器１１が、中心に位置されてもよい。非相称に位置された隆起部２１あるいは穿孔器１１はまた、上述した実施形態に適用されることもできる。
【００９２】
予備の環状の壁４６が、ベース部の内側に設けられて、内側スペース４７を生じることもできる。このスペース４７は、有利に、供給管１０と、例えば上述されたような供給弁３０とを収容するために利用できる。
【００９３】
この実施形態のカップ形部４０、穿孔器１１、および環状の壁４６は、例えば注型プロセスにおいて、穿孔可能なシール／クロージャ２２を除いたベース部３の残りの部分と同じ材料で一体的に形成されていると好ましい。上述されたように、ベースユニットは、外壁１６の上周辺部および／又は下周辺部にシールが設けられ得る。
【００９４】
図８ｂ〜図８ｃと図８ｄとは、夫々に、ベースユニット３とベース部５との間の他の外側シーリングを示している。隆起された環状プラットフォーム１９とつば２３との間に設けられたシーリング２４に加えて、例えばベース部５の付加的な隆起部５０の外方に面している側壁上に位置するＯ−リング１７の形の外側シーリング手段が設けられ得る。シーリング手段１７は、図２〜図５ｂに示されている実施形態のために上述されたようなハーメチックシールを与えるように、ベースユニット３の外壁１６の下部の内方に面している面と協働する。図２〜図５ｂに示された実施形態では、シーリング手段１７が、ベース部５の上方向へ延びた周壁１３の内面に設けられていて、ベースユニット３の外壁１６の下部の外面と協働するようになっていた。
【００９５】
付加的なシーリング手段１７を付加的な隆起部５０に有する構造により、ベースユニット３の壁１６の下部は、例えば径方向に延びた一連のリブ４８で補強され得る。かくして、シーリング手段１７は、圧縮可能なコンテナの操作中にベースユニット３に対して与えられ得る不慮のダメージによって生じる壁１６の変形から保護されている。
【００９６】
更に、ベース部５の上方向へ延びた周壁１３内に、圧力チャンバ８の加圧流体入口７を形成するための更なる空間が設けられている。この加圧流体入口７は、図８ｄには示されていない。このシーリングの特徴が上述されたような第１ないし第５の実施形態にも適用できることが、明らかである。
【００９７】
壁１６と隆起部５０の外部との間の外側シーリング１７と共に、１つ以上のバイパスチャネル４９が、ベースユニット３の外壁１６内に形成されると有利である。このようなバイパスチャネル４９により、本発明のベース部５とベースユニット３とが、図２ａ〜図２ｃに示された実施形態のために上述されたように使用され得る。その場合は、クロージャ２２を穿孔するためにカップ形部４０を押圧している間にのみ、外側シーリング１７が利用される。穿孔時、圧力チャンバ８は、つば２３と高くなった環状プラットフォーム１９との間のシーリング２４によって制限される。
【００９８】
これは、圧力チャンバ８中の圧力が高い場合に特に重要である。コンテナは、長時間、例えば２週間のタッピングのために配置されることがある。構造物、特に外壁１６に連続的に高圧が加えられると、この構造物が弱化するかもしれない。そのような事態が、バイパスチャネル４９を利用してつば２３と隆起部１９との間のシーリング２４へ力の向きを転換させることにより回避される。従って、ベースユニットは、より薄く、弱く、および／又は、安価な材料で形成可能である。
【００９９】
上記の実施形態と同様に、外側シーリング１７なしでも、例えばコンテナに手で下方への圧力を加えることによって、あるいはつば２３と隆起部１９との間の内側シーリング２４によって、穿孔が果され得る。
【０１００】
壁１６の外側底周辺部上の補強リブ４８がまた、飲料コンテナの安定した立ち面を与える。このようなリブ４８は、注型プロセスでベース部３と一体的に形成されることが好ましい。
【図面の簡単な説明】
【０１０１】
【図１】圧力チャンバ内に設けられたベースユニットを備える圧縮可能な飲料コンテナを有する本発明の飲料供給アセンブリの断面図を概略的に示している。
【図２ａ】本発明の飲料供給アセンブリの第１の実施形態の詳細を断面図で示している。
【図２ｂ】本発明の飲料供給アセンブリの第１の実施形態の詳細を断面図で示している。
【図２ｃ】本発明の飲料供給アセンブリの第１の実施形態の詳細を断面図で示している。
【図３】本発明の飲料供給アセンブリの第２の実施形態の詳細を断面図で示している。
【図４】本発明の飲料供給アセンブリの第３の実施形態の詳細を断面図で示している。
【図５ａ】本発明の飲料供給アセンブリの第４の実施形態の詳細を断面図で示している。
【図５ｂ】本発明の飲料供給アセンブリの第４の実施形態の詳細を断面図で示している。
【図６ａ】本発明の飲料供給センブリの第５の実施形態の詳細を断面図で示している。
【図６ｂ】本発明の飲料供給センブリの第５の実施形態の詳細を断面図で示している。
【図７ａ】本発明の供給アセンブリ用の供給弁を示している。
【図７ｂ】本発明の供給アセンブリ用の供給弁を示している。
【図８ａ】本発明の飲料供給アセンブリの他の実施形態の詳細を示しており、また、斜視図でベースユニットを示している。
【図８ｂ】本発明の飲料供給アセンブリの他の実施形態の詳細を示しており、また、図８ａの様々の部分の部分断面図を示している。
【図８ｃ】本発明の飲料供給アセンブリの他の実施形態の詳細を示しており、また、図８ａの様々の部分の部分断面図を示している。
【図８ｄ】本発明の飲料供給アセンブリの他の実施形態の詳細を示しており、また、図８ａ〜図８ｃで示されたベースユニットと協働するようにされたベース部の断面図を示している。
【図１】
0004741461.tif 000002
【図２ａ】
0004741461.tif 000003
【図２ｂ】
0004741461.tif 000004
【図２ｃ】
0004741461.tif 000005
【図３】
0004741461.tif 000006
【図４】
0004741461.tif 000007
【図５ａ】
0004741461.tif 000008
【図５ｂ】
0004741461.tif 000009
【図６ａ】
0004741461.tif 000010
【図６ｂ】
0004741461.tif 000011
【図７ａ】
0004741461.tif 000012
【図７ｂ】
0004741461.tif 000013
【図８ａ】
0004741461.tif 000014
【図８ｂ】
0004741461.tif 000015
【図８ｃ】
0004741461.tif 000016
【図８ｄ】
0004741461.tif 000017